(57)【要約】  装置は、ディスプレイ及び画像処理システムを備える。ディスプレイは、水平ピクセル及び垂直ピクセルのアレイを有する。画像処理システムは、アレイよりも小さなサイズを有する可視表示アレイとして画像をディスプレイに提示し、少なくとも１つのピクセルだけ可視表示アレイをシフトさせるように構成される。【選択図】図２
2018500585.tif 000002
【特許請求の範囲】
【請求項１】
水平ピクセル及び垂直ピクセルのアレイを含むディスプレイと、
画像処理システムと
を備える装置であって、前記画像処理システムは、
前記アレイよりも小さなサイズを有する可視表示アレイとして、画像を前記ディスプレイに提示することと、
少なくとも１つのピクセルだけ前記可視表示アレイをシフトすることと
を行うように構成される、装置。
【請求項２】
前記画像処理システムは、最大水平シフトｎピクセル及び最大垂直シフトｍピクセルを設定するように構成されるシフトプロセッサを更に含み、少なくとも１つのピクセルのシフトは、範囲１≦Ｎ≦ｎのＮピクセルの水平シフト又は範囲１≦Ｍ≦ｍのＭピクセルの垂直シフトのうちの少なくとも一方を含む、請求項１に記載の装置。
【請求項３】
前記画像処理システムは、シフト頻度を設定し、前記シフト頻度に従った間隔で前記可視表示アレイの後続シフトを実行するように構成されるシフトプロセッサを更に含む、請求項１に記載の装置。
【請求項４】
前記シフトプロセッサは、ガウスフィルタを適用して、前記可視ピクセルアレイを分布させるように更に構成される、請求項３に記載の装置。
【請求項５】
前記画像処理システムは、前記可視表示アレイに合うよう入力ビデオ画像サイズをスケーリングするように構成されるスケーリングユニットを更に備える、請求項１に記載の装置。
【請求項６】
前記スケーリングユニットは、水平ピクセルのアップスケール、垂直ピクセルのアップスケール、水平ピクセルのダウンスケール、又は垂直ピクセルのダウンスケールの少なくとも２つを実行するように構成される少なくとも１つのアップスケーリングユニット及び少なくとも１つのダウンスケーリングユニットを含む、請求項５に記載の装置。
【請求項７】
前記画像処理システムは、第２のクロックドメインで実行されるスケーリングのために第１のクロックドメインのビデオ入力信号をバッファリングするクロック交差ユニットを備える、請求項５に記載の装置。
【請求項８】
ユーザインタフェースを更に備える、請求項１に記載の装置。
【請求項９】
前記シフトされる可視表示アレイの現在位置を記憶するように構成されるメモリを更に備え、前記ディスプレイの電源を切り、前記ディスプレイへの電力を回復するとき、前記位置は前記メモリから呼び戻され、前記可視表示アレイは、前記記憶された位置に基づいて提示される、請求項１に記載の装置。
【請求項１０】
光子を電気画像信号に変換するように構成されるイメージャと、
ビューファインダであって、
水平ピクセル及び垂直ピクセルのアレイを含むディスプレイ
を含む、ビューファインダと、
画像処理システムであって、
前記アレイよりも小さなサイズを有する可視表示アレイとして、前記電気画像信号に基づいて画像を前記ディスプレイに提示し、
少なくとも１つのピクセルだけ前記可視表示アレイをシフトさせる
ように構成される、画像処理システムと
を備える、カメラ。
【発明の詳細な説明】
【技術分野】
【０００１】
関連出願の相互参照
本願は、“Ｄｅｇｒａｄａｔｉｏｎ  Ｃｏｎｔｒｏｌ  Ｏｆ  Ｄｉｓｐｌａｙ  Ｐｉｘｅｌｓ  Ｆｏｒ  Ａ  Ｈｉｇｈ  Ｄｅｆｉｎｉｔｉｏｎ  Ｄｉｓｐｌａｙ”という名称の２０１４年１０月２９日に出願された米国特許出願第１４／５２６，９２４号明細書の利益を主張するものであり、この出願は全体的に、参照により本明細書に明示的に援用される。
【０００２】
本開示は、一般的には自発光型高精細（ＨＤ）ディスプレイに関し、より詳細にはディスプレイのピクセル制御に関する。
【背景技術】
【０００３】
高精細（ＨＤ）ディスプレイは、テレビ、パーソナルコンピュータ及びタブレット、スマートフォン、並びにカメラビューファインダを含め、様々な用途に使用されている。幾つかの形態のＨＤディスプレイ技術としては、液晶ディスプレイ（ＬＣＤ）、プラズマ、発光ダイオード（ＬＥＤ）、及び有機ＬＥＤ（ＯＬＥＤ）が挙げられる。ＨＤ表示画面はピクセルのアレイにより形成され、各ピクセルは通常、３色要素：青、緑、及び赤を含む。ＬＣＤ等のバックライトディスプレイは、サービスデューティの進行に伴い輝度の均質劣化を受ける。プラズマ、ＬＥＤ、及びＯＬＥＤ等の自発光型ディスプレイでは、ピクセル出力の劣化は、ピクセルが長時間にわたりエネルギー付加され、様々な色要素がサービスデューティを蓄積する際、生じることが分かっている。したがって、自己発光型ディスプレイのピクセル劣化は、特定の色要素の輝度の低下として現れる。その結果、自己発光型ディスプレイの特定の色は、時間の経過に伴い顕著に暗くなり得る。さらに、青要素、緑要素、及び赤要素は均等な率で劣化せず、その結果、より弱い色からのカラーシフトが生じる。例えば、青要素がより高速に劣化し得、その結果、ディスプレイはより弱い青の色相を有し、全体的により強まった赤及び緑を有することになる。
【発明の概要】
【発明が解決しようとする課題】
【０００４】
ピクセル劣化は、オーバーレイがディスプレイ上に一貫して存在する場合、加速し得る。例えば、ビデオ捕捉する被写体を中心に配置するに当たりユーザを支援するために、カメラビューファインダにデジタル的に重ねられる照準線インジケータを考える。オーバーレイが、長時間にわたり固定位置に留まり、同じ色のままであった場合、オーバーレイを形成するためにエネルギー付加されているピクセルが、利用されている特定の色要素で加速した劣化を受けるという結果になる。
【課題を解決するための手段】
【０００５】
本開示の態様では、ディスプレイにわたりビデオ画像を１つ又は複数のピクセルだけ水平及び垂直にシフトさせる装置が提供され、それにより、固定オーバーレイの表示に使用されるピクセルの寿命を延ばすとともに、ピクセルの劣化を遅らせる。
【０００６】
本開示の別の態様では、装置は、水平ピクセル及び垂直ピクセルのアレイを有するディスプレイと、アレイよりも小さなサイズの可視表示アレイとして画像をディスプレイに提示し、少なくとも１つのピクセルだけ可視表示アレイをシフトさせるように構成される画像処理システムとを備える。
【０００７】
本開示の別の態様では、カメラは、光子を電気画像信号に変換するように構成されるイメージャと、水平ピクセル及び垂直ピクセルのアレイを有するディスプレイを含むビューファインダと、アレイよりも小さなサイズの可視表示アレイとして、電気画像信号に基づいて画像をディスプレイに提示し、少なくとも１つのピクセルだけ可視表示アレイをシフトさせるように構成される画像処理システムとを備える。
【図面の簡単な説明】
【０００８】
【図１】ピクセルアレイシフトに対応するように、ピクセルの縮小された視覚的表示領域を有するディスプレイの例を示す。
【図２】視覚的表示領域のピクセルアレイをスケーリングしシフトさせる方法例のフローチャートである。
【図３】ディスプレイ上のピクセルアレイをスケーリングしシフトさせる装置例の図を示す。
【図４】ピクセルアレイのスケーリング及びシフトを実行するように構成される表示装置の例示的なハードウェア実装を示す図である。
【図５】ピクセルアレイのスケーリング及びシフトを実行するように構成されるビューファインダを有する例示的なカメラシステムを示すブロック図である。
【発明を実施するための形態】
【０００９】
添付図面に関連して以下に記載される詳細な説明は、様々な構成の説明として意図され、本明細書に記載される概念を実施し得る唯一の構成を表すことを意図していない。詳細な説明は、様々な概念の完全な理解を提供するために、具体的な詳細を含む。しかし、これらの概念が、これらの具体的な詳細なしでも実施可能なことが当業者には明らかである。幾つかの場合、そのような概念を曖昧にしないように、周知の構造及び構成要素はブロック図形式で示される。
【００１０】
これより、様々な装置及び方法を参照して、ビデオ生成システムの特定の態様を提示する。これらの装置及び方法は、様々なブロック、モジュール、構成要素、回路、ステップ、プロセス、アルゴリズム等（まとめて「要素」と呼ぶ）により、以下の詳細な説明に記載され、添付図面に示される。これらの要素は、電子ハードウェア、コンピュータソフトウェア、又はそれらの任意の組合せを使用して実施し得る。そのような要素がハードウェアとして実施されるか、それともソフトウェアとして実施されるかは、特定の用途及び全体システムに課される設計制約に依存する。
【００１１】
例として、要素、要素の任意の部分、又は要素の任意の組合せは、１つ又は複数のプロセッサを含む「画像処理システム」を用いて実施し得る。プロセッサの例としては、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、離散ハードウェア回路、及び本開示全体を通して記載される様々な機能を実行するように構成される他の適するハードウェアが挙げられる。画像処理システムは、上記プロセッサの任意の１つ又は複数を含む処理デバイスで実施することもできる。画像処理システム内の１つ又は複数のプロセッサは、ソフトウェアを実行し得る。ソフトウェアは、ソフトウェア、ファームウェア、ミドルウェア、マイクロコード、又はハードウェア記述言語等という呼ばれ方に関係なく、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、プロシージャ、関数等を意味するように広く解釈されるものとする。ソフトウェアは、非一時的コンピュータ可読媒体に存在し得る。コンピュータ可読媒体は、例として、磁気記憶デバイス（例えば、ハードディスク、フロッピーディスク、磁気ストリップ）、光ディスク（例えば、コンパクトディスク（ＣＤ）、デジタル多用途ディスク（ＤＶＤ））、スマートカード、フラッシュメモリデバイス（例えば、カード、スティック、キードライブ）、ランダムアクセスメモリ（ＲＡＭ）、読み取り専用メモリ（ＲＯＭ）、プログラマブルＲＯＭ（ＰＲＯＭ）、消去可能ＰＲＯＭ（ＥＰＲＯＭ）、電子的に消去可能なＰＲＯＭ（ＥＥＰＲＯＭ）、レジスタ、リムーバブルディスク等の非一時的記憶装置、搬送波、伝送線、及びソフトウェアを記憶するか、又は伝送する任意の他の適する媒体を含み得る。コンピュータ可読媒体は、画像処理システム内に存在してもよく、画像処理システムの外部に存在してもよく、又は画像処理システムを含む複数のエンティティに分散してもよい。特定の用途及び全体システムに課される全体設計制約に応じて、本開示全体を通して提示される記載の機能を最良に実施する方法を当業者は認識する。
【００１２】
記載される発明の特定の実施形態は、広範囲の形式及び／又は解像度を有するビデオ画像の表示に使用し得る適用可能なビューファインダを提供する。ピクセル制御手段は、ビューファインダ内に提供されて、固定オーバーレイにより生じるピクセル劣化を遅らせ得る。ピクセル制御手段は、ビューファインダ内に提供されて、固定オーバーレイにより生じるピクセル劣化を補償し得る。
【００１３】
図１は、例えば、１９２０本の水平線及び１０８０本の垂直線のピクセル等の全野のピクセル１０２を有するビデオディスプレイ装置１００を示す。この態様では、全野１０２よりも小さく、（１９２０−ｎ）水平線及び（１０８０−ｍ）垂直線のピクセルに従って低減された可視野１０４が定義され、ここで、ｎ≧１であり、ｍ≧１である。図１に示されるように、予備水平領域１０６及び１０７はそれぞれ、ｎ／２ピクセル幅であり、予備垂直領域１０８及び１０９はそれぞれ、ｍ／２ピクセル長である。代替的には、可視野１０４は、ｎピクセルの予備水平領域１０６が存在し、領域１０７が０ピクセル幅であるか、又はこの逆であるように位置決めし得る。別の代替の例では、予備垂直領域１０８はｍピクセル幅であり得、一方、予備垂直領域１０９は０ピクセル幅である。別の代替の例では、可視野１０４は、非対称数のピクセルが領域１０６及び１０７並びに／又は領域１０８及び１０９に存在するように位置決めし得る。予備領域１０６〜１０９内のピクセルは、エネルギー非付加のスタンバイ状態であり得る。例としてのオーバーレイ１１０が示され、これは、録画中、視野中心にカメラユーザを案内するための中心に配置される照準線マークとして使用し得る。示されるオーバーレイ１１０への代替又は組合せとして、他のインジケータを視野内にオーバーレイしてもよい。この態様では、視野１０４は、範囲（１≦Ｎ≦ｎ）のＮピクセルだけ水平にシフトし得、及び／又は範囲（１≦Ｍ≦ｍ）のＭピクセルだけ垂直にシフトし得、次に、必要に応じて、前はスタンバイ状態であった予備ピクセルをアクティブ化する。例えば、Ｎ＝１ピクセルの場合での可視野１０４の予備水平領域１０６へのシフトは、予備領域１０６に沿った各水平行中の最初の隣接ピクセルをトリガーして、シフト画像を表示させる。その間、バッファ領域１０７の各水平行中の最初の隣接ピクセルは、非アクティブになり、可視野１０４の続くシフトが予備領域１０７内に戻るまで、スタンバイ状態になり得る。同様にして、可視野１０４は、予備領域１０８及び１０９を使用して垂直にシフトし得る。ピクセル野１０４がシフトするにつれ、オーバーレイ１１０のピクセルもそれと合わせてシフトする。したがって、オーバーレイ１１０の表示に使用されるピクセルは、永久的には固定されず、時間の経過に伴い、オーバーレイ１１０の各点の表示に使用される幾つかのピクセルがある。
【００１４】
ピクセルアレイの周回パターンの例として、以下の表１は、パターンシフトが実行される際、ａ２３に最初は配置されていた特定の一ピクセルに利用することができる座標を示す。
【００１５】
【表１】
2018500585.tif 000003
【００１６】
ａ２３から、周回パターン例は、以下の順の座標に従って開始し得る：ａ２３、ａ２４、ａ３４、ａ３３、ａ３２、ａ２２、ａ１２、ａ１１、ａ２１、ａ３１、ａ４１、ａ４２、ａ４３、ａ４４、ａ４５、ａ３５、ａ２５、ａ１５、ａ１４、ａ１３、そして開始位置ａ２３に戻る。各シフト間の間隔は、線形分布の場合、等しい間隔であり得る。代替的には、間隔は、非線形分布に従って不均等であり得る。分布は、線形分布と非線形分布とで交互になってもよい。
【００１７】
図２は、本発明の態様による方法２００を示すフローチャートである。２０２において、可視表示アレイは、利用可能な水平ピクセルＨ及び垂直ピクセルＶのサイズを低減したものとして設定される。したがって、可視表示アレイは、（Ｈ−ｎ）水平ピクセル及び（Ｖ−ｍ）垂直ピクセルとして定義し得、各水平行中にｎ個の予備ピクセル及び各垂直列中にｍ個の予備ピクセルを生成する。２０４において、入力ビデオ画像サイズは、定義された可視表示アレイに合うようにスケーリングされる。２０５において、画像は、可視表示アレイのシフトに適合して、低減されたサイズでディスプレイに提示される。２０６において、水平シフト量は、範囲（０≦｜Ｎ｜≦ｎ）の［０，＋／−Ｎ］ピクセルに設定され、垂直シフト量は、範囲（０≦｜Ｍ｜≦ｍ）の［０，＋／−Ｍ］ピクセルに設定される。任意選択的なステップ２０８において、シフト頻度が設定され、これは、例えば、１分〜６０分当たりシフト１回という範囲内で固定し得る。例えば、シフト頻度が１時間当たりシフト１回に設定される場合、水平シフト又は垂直シフトは６０分間隔で行われる。代替的には、範囲は１時間〜２４時間の範囲内で固定し得る。代替的には、頻度は時間の経過に伴い可変であり得る。２１０において、一連の水平シフト及び／又は垂直シフトを開始して、１組のピクセルにわたりオーバーレイを分布させ、オーバーレイの永久的な固定を回避する。一連のシフト内の各シフトは、カメラユーザが基本的に知覚不可能であるように低頻度で行われ得る。一連のシフトは、水平シフトのみ、垂直シフトのみ、又は水平シフトと垂直シフトとの組合せを含み得る。シフトパターンは、ガウスフィルタを適用して、ピクセルアレイのガウス分布を維持することにより達成し得る。ガウス分布に従ってシフトさせることにより、オーバーレイを形成するピクセルの線は、線におけるピクセル劣化が固定線で生じないため、時間の経過に伴うピクセルの隣接野に対して高コントラストの遷移ではなく、ぼやけた遷移を有し得る。代替的には、他の分布を水平シフト及び垂直シフトに適用して、オーバーレイピクセルが範囲（０：ｎ，０：ｍ）にわたり分布することを保証し得る。
【００１８】
図３は、例としての装置３００のブロック図であり、装置３００は、ディスプレイ３２０と、方法２００のピクセルアレイのスケーリング及びシフトを実行するように構成される画像処理システム３１０とを含む。ディスプレイ３２０は、例えば、画像処理システム内に存在するか、画像処理システム外に存在するか、又は画像処理システムを含む複数のエンティティにわたって分散するＬＥＤ、ＬＥＤ、又はＯＬＥＤ表示画面であり得る。ディスプレイ３２０は、高精細（ＨＤ）自発光型表示画面であり得る。画像処理システム３１０は、ＳＤフォーマット及びＨＤフォーマットで、必要に応じてスケーリングアップ又はダウンすることが可能な多目的スケーラとして実行されるように構成し得る。画像処理システム３１０は、入力クロックドメイン内のビデオ入力信号を処理し得るビデオ入力処理ユニット３０２及びスケーリングユニット３０３を含む。ビデオ入力処理ユニット３０２は、ビデオ生成、色制御、及びフォーカス支援等の機能を実行する回路及び／又はソフトウェアモジュールを含む。スケーリングユニット３０３は、入力クロックドメイン内の適切なフォーマットにカメラビデオ信号をスケーリングするように構成される。スケーリングユニット３０３は、整数又は小数であり得るスケーリング係数によりカメラビデオ信号をスケーリングするアップスケールユニット及び／又はダウンスケールユニットを含み得る。スケーリングユニット３０３は、水平ピクセルのアップスケール、垂直ピクセルのアップスケール、水平ピクセルのダウンスケール、又は垂直ピクセルのダウンスケールのうちの少なくとも１つを実行するように構成し得る。例えば、ビデオソースが３９６０水平ピクセル及びディスプレイが１９８０水平ピクセルである場合、スケーリングユニット３０３は、データサンプルを１／２でダウンスケールし得る。スケーリング係数は、図１に示されるように領域１０６、１０７内の水平行中の予備ピクセルを説明するように、値ｎを含んでもよい。例えば、前のパラメータであるソースに３９６０水平ピクセル及びディスプレイに１９８０水平ピクセルを使用して、係数［１／２］−ｎは、周回し得る１９８０−ｎ個の水平ピクセルを有するピクセルアレイを提供し得る。スケーリングユニット３０３が単独で適切なスケーリングを達成することができる場合、スケーリングユニット３０５を迂回してもよい。
【００１９】
ダブルデータレート（ＤＤＲ）クロック交差ユニット３０４は、入力クロックドメインとディスプレイクロックドメインとの交差点をシフトさせるメモリユニット（例えば、同期ダイナミックランダムアクセスメモリ（ＳＤＲＡＭ））として実施し得る。ＤＤＲクロック交差ユニット３０４は、スケーリングユニット３０５がサンプルを要求する場合、ビデオデータをバッファリングし、データフローのバランスを維持することにより、ビデオストリームを両クロックドメイン間で切り離し得る。その場合、入力クロックドメインからパネルクロックドメインへのデータ転送を有効範囲内に行うことができる。
【００２０】
スケーリングユニット３０５は、ディスプレイクロックドメインで適切なフォーマットのデータサンプル数をスケーリングするように構成されるアップスケールユニット及び／又はダウンスケールユニットを含み得る。スケーリングユニット３０５は、水平ピクセルのアップスケール、垂直ピクセルのアップスケール、水平ピクセルのダウンスケール、又は垂直ピクセルのダウンスケールのうちの少なくとも１つを実行するように構成し得る。例えば、ビデオソースが１２８０水平ピクセルであり、ディスプレイが１９８０水平ピクセルである場合、スケーリングユニット３０５は、データサンプルを適宜アップスケールし得る。スケーリング係数は、図１に示されるように、領域１０６、１０７での水平行中の予備ピクセルを説明するために、値ｎを含むこともできる。スケーリングユニット３０３は、スケーリングユニット３０５が単独で適切なスケーリングを達成することができる場合、迂回し得る。
【００２１】
代替的には、スケーリングユニット３０３及び３０５は両方とも協働して、ピクセルの適切な表示アレイを達成し得る。スケーリングユニット３０３及び３０５は、単独で、又は組み合わせて機能して、周回及び／又はズーム機能に適切な最終スケーリングを達成し得る。例えば、スケーリングユニット３０３及び３０５は、水平アップスケール及び垂直ダウンスケール、又はこの逆等のクロススケーリングを実行し得る。
【００２２】
ビデオ出力処理ユニット３０６は、関心領域分析、テキスト生成、ウォッブル、波形モニタ、及び／又は仮想ＣＲＴ（すなわち、ＣＲＴ挙動エミュレーション）を含む機能を実行するように構成される回路及び／又はソフトウェアモジュールを含む。ビデオ出力処理ユニット３０６は、ビデオ出力信号を生成し、ディスプレイ３２０に送信する。
【００２３】
シフトプロセッサ３０７は、ステップ２０６、２０８、及び２１０に関して上述したようなピクセルアレイのシフトを実行し得る。シフトプロセッサ３０７は、ピクセルアレイをシフトするピクセル数及びシフトが水平方向であるか、垂直方向であるか、それとも両方であるかを設定し得る。シフトプロセッサ３０７は、シフトを行う頻度、一定であるか、それとも可変であるかを決定し、それに従って各シフトを開始することもできる。シフトプロセッサ３０７は、ガウス分布を一連のシフトに適用し得、参照ピクセルの周りを周回するパターンを生成し得る。
【００２４】
マイクロプロセッサ等の制御ユニット３０１は、ビデオ入力処理ユニット３０２、スケーリングユニット３０３、３０５、クロック交差ユニット３０４、ビデオ出力処理ユニット３０６、及びシフトプロセッサ３０７と対話して、動作シーケンスを制御し、データの入力／出力フローを制御し得る。メモリ３１１を制御ユニット３０１と併せて使用して、スケーリング及びシフトプロセス中、例えば、視覚的ディスプレイの縮小サイズ、現在のアレイ位置、前のシフト位置、アレイをシフトするピクセル数ｎ又はｍ、及びシフト頻度等のピクセルに関する情報を記憶し得る。一実施形態では、メモリ３１１は、ディスプレイ３２０がオフに切り替えられる前の現在のアレイ位置を記憶し得る。ディスプレイ３２０への電力を回復したとき、メモリ３１１は、記憶されたアレイ位置を呼び戻し得、記憶されているアレイ位置に基づいて、ディスプレイ３２０上の画像を提示し得る。
【００２５】
図４は、ビデオ表示装置４００内の画像処理システム３１０のハードウェア実装の例を示す概念図である。この例では、ビデオ表示装置４００は、ディスプレイ３２０、ユーザインタフェース４１３、及び全体的にバスインタフェース４０８で表される、ビデオ入力用のバスアーキテクチャを含み得る。バスインタフェース４０８は、ビデオ表示装置４００の特定の用途及び全体設計制約に応じて、任意の数の相互接続バス及びブリッジを含み得る。バスインタフェース４０８は、全体的にプロセッサ４０４で表される１つ又は複数のプロセッサ、ビデオプロセッサ４２０、及び画像処理システム３１０を含む様々な回路を一緒にリンクし得る。プロセッサ４０４は、バス４０２の管理及び全体処理を担当し得る。ビデオプロセッサ４２０は、信号プロセッサ又は他の専用プロセッサ等の複数のプロセッサを含み得る。ビデオプロセッサ４２０は、画像シーケンス中のピクセルに対して動作して、ビデオ入力に存在する１つ又は複数の画像の信号表現を生成するように構成し得る。例えば、ビデオプロセッサ４２０は、ガンマ補正、色補正、鮮鋭度、ホワイトバランス、及び他のビデオ処理機能を実行し得る。バスインタフェース４０８は、当技術分野で周知であり、したがって、これ以上更に説明しないタイミングソース、周辺機器、電圧調整器、及び電力管理回路等の様々な他の回路をリンクすることもできる。
【００２６】
一例では、表示装置４００はカメラに組み込むことができ、したがって、ビデオ入力は、ビデオプロセッサ４２０に直接提供される「未処理」の画像信号であり、ビデオプロセッサ４２０は画像シーケンス内のピクセル情報を処理して、フレームシーケンスを表す標準化ビデオ出力を生成し得る。別の例では、表示装置４００は、コンピュータディスプレイ、テレビ、又は他のディスプレイ等の高精細表示装置であり得る。ビデオ入力情報は、圧縮ビデオストリームと、背景情報、前景オブジェクト、動きベクトル、視覚線、オブジェクトカウント、オブジェクト追跡、及び他のメタデータを含むメタデータとを含み得る。装置４００の性質に応じて、キーパッド、スピーカ、マイクロフォン、又はジョイスティックの１つ又は複数を含め、ユーザインタフェース４１３を提供し得る。
【００２７】
図５は、ビューファインダ５０４において画像処理システム３１０を実施する例示的なカメラシステム５００を示す簡略ブロック図である。カメラシステム５００は、カメラ５０２、ビューファインダ５０４、及びレンズ系５０６を含み得る。カメラ５０２はイメージャ５２０を含み得、イメージャ５２０は、１つ又は複数のＣＣＤ又はＣＭＯＳ撮像デバイスを含み、光子を電気ビデオ信号に変換し得る。カメラ５０２は、画像シーケンスを受信し、所望のフレームレート、アスペクト比等を有するビデオ出力を生成する１つ又は複数のビデオプロセッサ５２２を含み得る。エンコーダ５２４は、未処理のビデオ出力をビデオプロセッサ５２２から受信し、特定の仕様（例えば、シリアルデジタルインタフェース（ＳＤＩ）、Ｈ．２６４／ＭＰＥＧ−４高度ビデオ符号化、又は高精細マルチメディアインタフェース（ＨＤＭＩ（登録商標）））に従って符号化されたフォーマットビデオ信号を生成し得る。エンコーダ５２４からの信号は出力されて、ビデオ生成システムに、及び／又は送受信機５２６を使用してネットワークを介して送信し得る。エンコーダ５２４は、符号化又は未処理のビデオフィードをビューファインダ５０４に提供することもできる。
【００２８】
ビューファインダ５０４はデコーダ５４１を含み得、デコーダ５４１は、符号化ビデオ又は未処理のビデオをエンコーダ５２４から受信し、画像データをディスプレイ５４２に提供する。画像処理システム３１０は、ビデオ信号をデコーダ５４１から受信し、上述したピクセルアレイシフトプロセスを実行し得る。一例では、ディスプレイ５４２は、各ピクセルに有機発光ダイオード（ＯＬＥＤ）を含み得、それにより、発光ダイオード（ＬＥＤ）は、電流に応答して発光する有機化合物から形成される放射性エレクトロルミネセント層で覆われる。これら及び他のデバイスを使用して、ディスプレイ５４２上に画像を生成し得る。
【００２９】
レンズ系５０６は、所望の光学構成のレンズを提供するように構成し得、この構成は、例えば、被写界深度設定、開口数、及び焦点距離を指定し得る。
【００３０】
限定ではなく、例として、本開示の態様は、テレビ番組の制作又はスポーツイベントで使用し得るビデオ生成システムの様々な構成要素を構成するのに使用されるシステム及び方法を参照して提示されている。本開示全体を通して提示される様々な概念は、ビデオ及び／又は静止画像を捕捉し処理するシステム、テレビ会議システム等を含め、広範囲の撮像用途にわたり実施し得る。
【００３１】
上記の説明は、当業者が本明細書に記載される様々な態様を実施できるようにするために提供されている。これらの態様への様々な変更が、当業者に容易に明らかであり、本明細書に定義される一般原理は他の態様にも適用可能である。したがって、特許請求の範囲は、本明細書に示される態様に限定されることは意図されず、言語による特許請求の範囲に整合する十分な範囲を与えられるべきであり、特許請求の範囲では、単数形での要素への言及は、特にそのように述べられていない限り、「唯一の」を意味するように意図されてはおらず、むしろ「１つ又は複数の」を意図する。特に別段のことが述べられている場合を除き、「幾つかの」という用語は１つ又は複数を指す。当業者に既知又は後に既知になる本開示全体を通して記載される様々な態様の要素への構造的均等物及び機能的均等物は全て、参照により本明細書に明示的に組み込まれ、特許請求の範囲による包含が意図される。さらに、本明細書に開示されるものはいずれも、そのような開示が特許請求の範囲に明示的に記載されているか否かに関係なく、公衆に捧げられることは意図されない。請求項の要素は、「する手段」という語句を使用して明示的に記載される場合を除き、又は方法クレームの場合、「するステップ」という語句を使用して記載される場合を除き、米国特許法第１１２条第６項の規定下で解釈されるべきではない。
【図１】
2018500585.tif 000004
【図２】
2018500585.tif 000005
【図３】
2018500585.tif 000006
【図４】
2018500585.tif 000007
【図５】
2018500585.tif 000008
【国際調査報告】
2018500585.tif 000009
2018500585.tif 000010
2018500585.tif 000011